(57)【要約】【課題】扉の設定範囲を広くするとともに、リンクの収納スペースを小さくし、かつ取付作業及び部品配置を容易にする。【解決手段】扉２４のヒンジ側端部の内側に円弧状の扉角度ガイド２５を上下方向に取り付け、扉角度ガイド２５の周壁には途中にクランク部２５ｂを有するスライド溝２５ａを斜めに形成する。枠体２２に取り付けたスライドレール２６の長孔２６ａには扉固定用孔２７ａを有するばね材からなるストッパ２７を上下方向移動可能に固定する。そして、一端にスライド溝２５ａと係合する第１のストッパピン３０を有するとともに、他端にスライドレール２６の長孔２６ａと係合する第２のストッパピン３２を有するストッパ腕２９における第１のストッパピン３０がスライド溝２５ａのクランク部２５ｂに位置したときに第２のストッパピン３２がストッパ２７の扉固定用孔２７ａと係合するようにする。【選択図】図１
2005354852.tif 000002
【特許請求の範囲】
【請求項１】
盤本体にヒンジ部を介して扉を回動自在に取り付けた盤において、扉のヒンジ部側端部の内側に上下方向に取り付けられるとともに、円弧状に形成された扉角度ガイドと、扉角度ガイドの周壁に斜めに形成されるとともに、途中にクランク部が設けられたスライド溝と、盤本体の枠体に取り付けられ、上下方向の長孔を有するスライドレールと、ばね材からなり、スライドレールの長孔に上下方向移動可能に固定されるとともに、扉固定用孔が設けられたストッパと、一端にスライド溝と係合する第１のストッパピンが設けられるとともに、他端にスライドレールの長孔と係合する第２のストッパピンが設けられたストッパ腕とを備え、第１のストッパピンがスライド溝のクランク部に位置したときに第２のストッパピンがストッパの扉固定用孔と係合するようにしたことを特徴とする盤の扉ストッパ構造。
【請求項２】
ストッパをスライドレールと一体としたことを特徴とする請求項１記載の盤の扉ストッパ構造。
【請求項３】
盤本体にヒンジ部を介して扉を回動自在に取り付けた盤において、扉のヒンジ部側端部の内側に上下方向に取り付けられるとともに、円弧状に形成された扉角度ガイドと、扉角度ガイドの周壁に斜めに形成されるとともに、途中にクランク部が設けられたスライド溝と、盤本体の枠体に取り付けられ、上下方向の長孔と長孔の途中に設けられた長孔の幅より大径の扉固定用孔を有するスライドレールと、一端にスライド溝と係合する第１のストッパピンが設けられるとともに、他端にスライドレールの長孔の幅より大径で扉固定用孔より小径の大径部と大径部上に形成されたスライドレールの長孔の幅より小径の小径部からなる第２のストッパピンが設けられたストッパ腕とを備え、第２のストッパピンの小径部はスライドレールの長孔と係合するとともに、第１のストッパピンがスライド溝のクランク部に位置したときに第２のストッパピンの大径部はばね作用によりスライドレールの扉固定用孔と係合するようにしたことを特徴とする盤の扉ストッパ構造。
【発明の詳細な説明】
【技術分野】
【０００１】
この発明は、制御盤や配電盤等の盤の扉構造に関し、特に扉の最大開き角度を制限するとともに、一定の角度で開き角度を保ち、かつ扉の開き角度の制限角度を変えることができるストッパ構造に関するものである。
【背景技術】
【０００２】
図７は従来の配電盤の扉ストッパ構造の斜視図を示し、１は盤本体、２は盤本体１にヒンジ部３を介して回動自在に設けられた扉、４は盤本体１内の天井面に取り付けられた取付部、５も扉２の内面に取り付けられた取付部、６は一端が取付部４に回動自在に取り付けられたリンク、７は一端が取付部５に回動自在に取り付けられたリンクであり、リンク６，７の他端同士も回動自在に連結される。上記構成において、盤本体１、扉２、リンク６，７により四つ棒機構からなるストッパ構造が形成される。
【０００３】
図８（ａ）〜（ｃ）は他の従来の配電盤の扉ストッパ構造の平面図、そのＡ−Ａ線矢視図及び側面図を示し、８は盤本体、９は扉、１０は扉９の内面上部に溶接され、長孔１０ａが設けられたガイドである。１１は一端が長孔１０ａにスナップピン１２を介して摺動自在にかつ回動自在に連結されたストッパ腕、１３は盤本体８の天井面に雄ねじ１４及びナット１５により取り付けられた取付金具であり、ストッパ腕１１の他端は取付金具１３にスナップピン１６を介して回動自在に連結される。又、ガイド１０にはボルト１７、支え板１８、座１９及びナット２０を介してストッパ２１が取り付けられる。上記構成において、盤本体８、扉９、及びストッパ腕１１により回転すべり子機構からなるストッパ構造が形成される。
【０００４】
その他、特許文献１に記載された配電盤の扉開き角度制限器も提案されている。
【特許文献１】特開平２００４−１４０９０３号公報
【発明の開示】
【発明が解決しようとする課題】
【０００５】
図７に示した従来の配電盤の扉ストッパ構造においては、最大開き角度と可能制限角度が同じになっているため、ストッパを構成するリンク６，７が伸びきらないと、扉２を一定の開き角度に保つことができず、最大開き角度まで開く以前に障害物があると、ストッパとしての用を成さない。又、扉２の最大開き角度を変えようとすると、盤本体１側及び扉２側の双方の固定位置を変える必要があり、２重設計が必要となる。さらに、扉２を閉めた状態でリンク６，７が折り畳んで収納されるため、この収納スペースが必要となる。又、盤本体１内に蛍光灯やドアスイッチを設けた場合、その付近を配線が通過するため、扉２を閉じる際に配線を挟み、断線する可能性が高い。さらに、取付部４を盤本体１の天井面に取り付けるため、天井面を必要とし、天井付近に取り付ける際に脚立等に登るため、作業が不安定となり、労働災害が起こり易い。
【０００６】
又、図８に示した配電盤の扉ストッパ構造においては、扉９を閉めた状態でストッパ腕１１が内部に収納されるため、収納スペースが必要となる。又、盤本体１内に蛍光灯やドアスイッチを設けた場合、その付近を配線が通過するため、扉９を閉じる際に配線を挟み、断線する可能性が高い。さらに、取付金具１３の取付に盤本体８の天井面を必要とし、天井付近に取り付ける際に脚立等に登るため、作業が不安定になり、労働災害が起こり易い。又、扉９側にストッパ腕１１のスライド用のガイド１０を取り付ける必要があるため、盤本体８の前面の取付部品との干渉を避ける必要がある。
【０００７】
又、特許文献１に示された配電盤の扉開き角度制限器においては、開き角度の調整範囲が狭かった。
【０００８】
この発明は上記のような課題を解決するために成されたものであり、扉の開き角度の設定範囲が広く、リンクの収納スペースを小さくすることができ、かつ取付作業が容易で部品配置も容易な盤の扉ストッパ構造を得ることを目的とする。
【課題を解決するための手段】
【０００９】
この発明の請求項１に係る盤の扉ストッパ構造は、盤本体にヒンジ部を介して扉を回動自在に取り付けた盤において、扉のヒンジ部側端部の内側に上下方向に取り付けられるとともに、円弧状に形成された扉角度ガイドと、扉角度ガイドの周壁に斜めに形成されるとともに、途中にクランク部が設けられたスライド溝と、盤本体の枠体に取り付けられ、上下方向の長孔を有するスライドレールと、ばね材からなり、スライドレールの長孔に上下方向移動可能に固定されるとともに、扉固定用孔が設けられたストッパと、一端にスライド溝と係合する第１のストッパピンが設けられるとともに、他端にスライドレールの長孔と係合する第２のストッパピンが設けられたストッパ腕とを備え、第１のストッパピンがスライド溝のクランク部に位置したときに第２のストッパピンがストッパの扉固定用孔と係合するようにしたものである。
【００１０】
請求項２に係る盤の扉ストッパ構造は、ストッパをスライドレールと一体としたものである。
【００１１】
請求項３に係る盤の扉ストッパ構造は、盤本体にヒンジ部を介して扉を回動自在に取り付けた盤において、扉のヒンジ部側端部の内側に上下方向に取り付けられるとともに、円弧状に形成された扉角度ガイドと、扉角度ガイドの周壁に斜めに形成されるとともに、途中にクランク部が設けられたスライド溝と、盤本体の枠体に取り付けられ、上下方向の長孔と長孔の途中に設けられた長孔の幅より大径の扉固定用孔を有するスライドレールと、一端にスライド溝と係合する第１のストッパピンが設けられるとともに、他端にスライドレールの長孔の幅より大径で扉固定用孔より小径の大径部と大径部上に形成されたスライドレールの長孔の幅より小径の小径部からなる第２のストッパピンが設けられたストッパ腕とを備え、第２のストッパピンの小径部はスライドレールの長孔と係合するとともに、第１のストッパピンがスライド溝のクランク部に位置したときに第２のストッパピンの大径部はばね作用によりスライドレールの扉固定用孔と係合するようにしたものである。
【発明の効果】
【００１２】
以上のようにこの発明の請求項１によれば、スライドレールに対するストッパの取付高さあるいはストッパの扉固定用孔の設置位置を変えることにより、扉の開き角度を容易に変えることができ、開き角度の設定範囲を広くすることができる。また、リンク機構が簡単なので、その収納スペースを小さくすることができ、さらに盤本体の天井付近への部品の取付がないので、断線の心配がなく、取付作業も容易となり、取付部材の配置も容易となる。
【００１３】
請求項２によれば、ストッパとスライドレールを一体としたので、部品点数が削減され、構造を簡単にすることができる。
【００１４】
請求項３によれば、ストッパ腕の第１のストッパピンがスライド溝のクランク部に位置したときに第２のストッパピンの大径部がばね作用によりスライドレールの扉固定用孔と係合するので、手動でこの係合を外さないと、扉は閉まらなくなる。従って、屋外等で強風にあおられて扉が不意に閉まるようなことがなくなり、人間が扉に挟まれたり、器具に触れて感電したりすることがなくなる。その他、請求項１と同様の効果を奏する。
【発明を実施するための最良の形態】
【００１５】
実施最良形態１
以下、この発明を実施するための最良の形態を図面とともに説明する。図１は
この発明の実施最良形態１による配電盤の扉ストッパ構造の斜視図、図２（ａ），（ｂ）は同じく実施最良形態１による配電盤の扉ストッパ構造の扉を除去した状態の正面図及びその一部拡大図である。但し、図１は第２のストッパピン３２がストッパ２７の扉固定用孔２７ａより上位にある状態、図２（ａ）は第２のストッパピン３２が扉固定用孔２７ａと係合した状態、図２（ｂ）は第２のストッパピン３２が扉固定用孔２７ａより下位にある状態を示す。図において、２２は盤本体２３の枠体、２４は枠体２２に図示しないヒンジ部を介して回動自在に取り付けられた扉、２５は扉２４のヒンジ部側端部の内側に上下方向に取り付けられた円弧状の扉角度ガイドであり、扉角度ガイド２５の周壁には斜めにスライド溝２５ａが形成され、スライド溝２５ａの途中にはクランク部２５ｂが設けられている。
【００１６】
２６は枠体２２の折り返し部分２２ａに上下方向に取り付けられたスライドレールであり、スライドレール２６には上下方向の長孔２６ａが設けられている。２７はばね材からなるストッパであり、ストッパ２７はボルト２８等により長孔２６ａに上下方向移動可能に固定され、ストッパ２７の下部には扉固定用孔２７ａが設けられる。２９はアーム状のストッパ腕であり、その一端にはスライド溝２５ａを挿通した第１のストッパピン３０が立設され、第１のストッパピン３０の先端には係合部材３１が設けられる。又、ストッパ腕２９の他端には第２のストッパピン３２が立設され、第２のストッパピン３２はスライドレール２６の長孔２６ａに挿通され、ワッシャー３３を介して止め輪３４が設けられる。従って、第２のストッパピン３２が長孔２６ａから抜け出ることはない。
【００１７】
次に、上記構成の動作を図３に基づいて説明する。まず、扉２４が閉まっている時には扉２４の開き角度は０度であり、ここで、扉２４を開き角度９０度まで開くと、ストッパ腕２９は反時計方向に回動し、第１のストッパピン３０はスライド溝２５ａのクランク部２５ｂに引っかかり、第２のストッパピン３２はストッパ２７の扉固定用孔２７ａにストッパ２７自身のばね作用により自動的に落ち込み、係合する。従って、扉２４は開き角度９０度で固定される。扉２４をさらに開くと、ストッパ腕２９はさらに反時計方向に回動し、これによって第２のストッパピン３２は扉固定用孔２７ａから脱出する。扉２４を閉じる際にもスライド溝２５ａのクランク部２５ｂにおいて第１のストッパピン３０が引っかかり、やはり第２のストッパピン３２が扉固定用孔２７ａと係合し、扉２４は固定される。さらに扉２４を閉じると、第２のストッパピン３２は扉固定用孔２７ａから脱出する。ストッパ２７の長孔２６ａに対する固定位置を上下すれば、扉２４の開き角度を容易に変更することができる。
【００１８】
実施最良形態１においては、スライドレール２６に対するストッパ２７の取付高さあるいはストッパ２７における扉固定用孔２７ａの設置位置を変えることにより扉２４の開き角度を容易に変えることができ、扉２４の開き角度の設定範囲を広くすることができる。又、リンクはストッパ腕２９だけであるので、リンクの収納スペースを小さくすることができる。さらに、盤本体２３の天井付近への部品の取付がないので、断線の心配がなく、取付作業が容易となり、また構造が簡単であるので、扉２４への取付部材の配置が容易となる。さらに、扉角度ガイド２５の長さを長くすれば、その内側に設けられたヒンジ部の補強を行うことができる。
【００１９】
実施最良形態２
図４は実施最良形態２による配電盤の扉ストッパ構造の斜視図を示し、３５は枠体２２の折り返し部分２２ａに取り付けられたスライドレールであり、上下方向の長孔３５ａを有するとともに、長孔３５ａを覆うように設けられたストッパ部３５ｂとストッパ部３５ｂに設けられた扉固定用孔３５ｃが設けられている。ストッパ部３５ｂはばね作用を有する。従って、スライドレール３５は実施最良形態１におけるスライドレール２６とストッパ２７を一体としたものである。その他の構成は実施最良形態１と同様である。
【００２０】
実施最良形態２においては、スライドレールとストッパとを一体としたので、部品点数が少なくなり、構造を簡単にすることができる。その他、実施最良形態１と同様の効果を奏する。
【００２１】
実施最良形態３
図５は実施最良形態３による配電盤の扉ストッパ構造の斜視図を示し、３６は枠体２２の折り返し部分２２ａに上下方向に取り付けられたスライドレールであり、スライドレール３６は上下方向の長孔３６ａを有するとともに、長孔３６ａの途中に設けられた長孔３６ａの幅Ｗより大径の扉固定用孔３６ｂを有する。ストッパ腕２９の一端にはスライド溝２５ａに挿通された第１のストッパピン３０が立設されるとともに、第１のストッパピン３０の先端には係合部材３１が設けられる。ストッパ腕２９の他端には図６（ａ），（ｂ）に示すようにスライドレール３６の長孔３６ａの幅Ｗより大径で扉固定用孔３6ｂより小径の大径部３７ａと大径部３７ａ上に形成されたスライドレール３６の長孔３６ａの幅Ｗより小径の小径部３７ｂとからなる第２のストッパピン３７が設けられる。
【００２２】
第２のストッパピン３７の小径部３７ｂはスライドレール３７の長孔３６ａを挿通し、ばね作用を有する皿ばね形のワッシャー３８を介して止め輪３９が取り付けられる。従って、図６（ａ）に示すように第２のストッパピン３７が長孔３６ａから抜け出ることはない。扉２４の開閉によって第１のストッパピン３０がスライド溝２５ａのクランク部２５ｂの位置にくると、図６（ｂ）に示すように止め輪３９により押圧されているワッシャー３８のばね作用により第２のストッパピン３７の大径部３７ａがスライドレール３６の扉固定用孔３６ｂと係合し、扉２４の開き角度は固定される。
【００２３】
実施最良形態３においては、第１のストッパピン３０がスライド溝２５ａのクランク部２５ｂに位置したときに、第２のストッパピン３７の大径部３７ａはワッシャー３８のばね作用により扉固定用孔３６ｂと係合し、扉２４の開き角度は固定される。この係合状態を手動で外さないと、扉２４は閉まらなくなる。このため、強風により扉２４が不意に閉まるようなことが無くなり、人間が扉２４に挟まれたり、器具に触れて感電したりすることがなくなる。その他、実施最良形態１と同様の効果を奏する。なお、ワッシャー３８は図６（ｃ）．（ｄ）に示すようにお椀形のものであってもよく、（ｃ）は変形前、（ｄ）は変形後を示す。
【図面の簡単な説明】
【００２４】
【図１】この発明の実施最良形態１による配電盤の扉ストッパ構造の斜視図である。
【図２】実施最良形態１による配電盤の扉ストッパ構造の扉を除去した状態の正面図及びその一部拡大図である。
【図３】実施最良形態１による配電盤の扉ストッパ構造の動作説明図である。
【図４】実施最良形態２による配電盤の扉ストッパ構造の斜視図である。
【図５】実施最良形態３による配電盤の扉ストッパ構造の斜視図である。
【図６】（ａ），（ｂ）は実施最良形態３による配電盤の扉ストッパ構造における第２のストッパピンの小径部がスライドレールの長孔と係合した状態の正面図及び第２のストッパピンの大径部がスライドレールの扉固定用孔と係合した状態の正面図、（ｃ），（ｄ）は実施最良形態３によるワッシャーの変形例を示し、（ｃ）は変形前、（ｄ）は変形後を示す。
【図７】従来の配電盤の扉ストッパ構造の斜視図である。
【図８】従来の配電盤の扉ストッパ構造の平面図、そのＡ−Ａ線斜視図及び側面図である。
【符号の説明】
【００２５】
２２…枠体
２３…盤本体
２４…扉
２５…扉角度ガイド
２５ａ…スライド溝
２５ｂ…クランク部
２６，３５，３６…スライドレール
２６ａ，３５ａ，３６ａ…長孔
２７…ストッパ
２７ａ，３５ｃ，３６ｂ…扉固定用孔
２８…ボルト
２９…ストッパ腕
３０…第１のストッパピン
３２，３７…第２のストッパピン
３５ｂ…ストッパ部
３７ａ…大径部
３７ｂ…小径部
３８…ワッシャー
３９…止め輪
【図１】
2005354852.tif 000003
【図２】
2005354852.tif 000004
【図３】
2005354852.tif 000005
【図４】
2005354852.tif 000006
【図５】
2005354852.tif 000007
【図６】
2005354852.tif 000008
【図７】
2005354852.tif 000009
【図８】
2005354852.tif 000010